(57)【要約】【課題】振動をトリガーとして発光デバイスを点灯させることができる集魚灯を提供することにある。【解決手段】集魚灯では、ピエゾ発電素子６５に生じた電圧が第２スイッチング素子６４に印加されると、第２スイッチング素子６４がＯＮ状態になり、第２スイッチング素子６４がＯＮ状態になると、直流電源６０からコンデンサー６３に所定の電圧が印加されてコンデンサー６３に電荷が蓄えられ、コンデンサー６３がそれに蓄えられた電荷を第１スイッチング素子６２に放出すると、第１スイッチング素子６２がＯＮ状態となり、コンデンサー６３に蓄えられた電荷の放出中に直流電源６０から発光ダイオード６１に所定の電圧が印加されて発光ダイオード６１が発光する。【選択図】図３
2013021931.tif 000002
【特許請求の範囲】
【請求項１】
発光デバイスと、前記発光デバイスを包被する合成樹脂とから形成された合成樹脂成形物において、
前記合成樹脂が、前記発行デバイスと一体化しつつ所定の形状に成型され、前記発光デバイスが、直流電源と、前記直流電源から印加された電圧に応じて発光する発光ダイオードと、前記発光ダイオードに印加される電圧をＯＮ／ＯＦＦする第１スイッチング素子と、前記第１スイッチング素子をＯＮさせるための電荷を蓄えるコンデンサーと、前記コンデンサーに印加される電圧をＯＮ／ＯＦＦする第２スイッチング素子と、振動によって生じた電圧で前記第２スイッチング素子をＯＮさせるピエゾ発電素子とを含み、
前記発光ダイオードと前記第１スイッチング素子とが、前記直流電源に対して並列に接続され、前記コンデンサーと前記第２スイッチング素子とが、前記直流電源に対して並列に接続されているとともに、前記ピエゾ発電素子が、それに生じた電圧によって前記第２スイッチング素子をＯＮ状態にし得るように該第２スイッチング素子に接続され、
前記合成樹脂成形物では、前記ピエゾ発電素子に生じた電圧が前記第２スイッチング素子に印加されると、前記第２スイッチング素子がＯＮ状態になり、前記第２スイッチング素子がＯＮ状態になると、前記直流電源から前記コンデンサーに所定の電圧が印加されて該コンデンサーに電荷が蓄えられ、前記コンデンサーがそれに蓄えられた電荷を前記第１スイッチング素子に放出すると、前記第１スイッチング素子がＯＮ状態となり、前記コンデンサーに蓄えられた電荷の放出中に前記直流電源から前記発光ダイオードに所定の電圧が印加されて該発光ダイオードが発光することを特徴とする合成樹脂成形物。
【請求項２】
前記合成樹脂成形物では、前記コンデンサーからの電荷の放出が次第に少なくなり、それによって前記発光ダイオードの発光が次第に小さくなり、前記コンデンサーに蓄えられたすべての電荷が放出された後に前記発光ダイオードの発光が停止する請求項１記載の合成樹脂成形物。
【請求項３】
前記発光デバイスが、前記ピエゾ発電素子に生じた電圧の前記第２スイッチング素子への印加を可能または不能にする水分検知部材を含み、水分を検知した前記水分検知部材が、前記ピエゾ発電素子に生じた電圧の前記第２スイッチング素子への印加を可能にするように該ピエゾ発電素子に接続され、前記合成樹脂成形物では、前記水分検知部材が水分を検知してそれが導通し、前記ピエゾ発電素子に生じた電圧の前記第２スイッチング素子への印加が可能となる請求項１または請求項２に記載の合成樹脂成形物。
【請求項４】
前記発光デバイスが、前記第２スイッチング素子と前記ピエゾ発電素子との導通をＯＮ／ＯＦＦする光検出器を含み、前記合成樹脂成形物では、前記光検出器が設定量以上の光を検出中に、前記第２スイッチング素子と前記圧電素子との導通がＯＦＦ状態になる請求項１ないし請求項３いずれかに記載の合成樹脂成形物。
【請求項５】
前記発光デバイスでは、静電容量の異なる前記コンデンサーを使用することによって前記発光ダイオードの発光時間を変更可能である請求項１ないし請求項４いずれかに記載の合成樹脂成形物。
【請求項６】
前記発光デバイスでは、発電容量の異なる前記ピエゾ発電素子を使用することによって前記発光ダイオードの発光時間を変更可能である請求項１ないし請求項５いずれかに記載の合成樹脂成形物。
【請求項７】
前記発光デバイスでは、前記ピエゾ発電素子に強い振動を伝達することによって前記発光ダイオードの発光時間が長くなり、前記ピエゾ発電素子に弱い振動を伝達することによって前記発光ダイオードの発光時間が短くなる請求項１ないし請求項６いずれかに記載の合成樹脂成形物。
【請求項８】
前記合成樹脂が、前記発光デバイス全体を包被しつつ前記発光ダイオードから発生した光によって水中で発光する集魚用のケーシングを形成し、釣り糸を結び付ける連結金具が、前記ケーシングに取り付けられ、前記合成樹脂成形物が、前記釣り糸を介して前記ピエゾ発電素子に振動を伝達したときに前記発光ダイオードが発光してその光で魚類を引き寄せる振動発光型集魚灯を形成している請求項１ないし請求項７いずれかに記載の合成樹脂成形物。
【請求項９】
前記合成樹脂が、前記発光デバイス全体を包被しつつ前記発光ダイオードから発生した光によって水中で発光する疑似餌用のケーシングを形成し、釣り糸を結び付ける連結金具が、前記ケーシングに取り付けられ、前記合成樹脂成形物が、前記釣り糸を介して前記ピエゾ発電素子に振動を伝達したときに前記発光ダイオードが発光してその光で魚類を引き寄せる振動発光型疑似餌を形成している請求項１ないし請求項７いずれかに記載の合成樹脂成形物。
【請求項１０】
前記合成樹脂が、前記発光デバイス全体を包被しつつ前記発光ダイオードから発生した光を放射可能な電飾用のケーシングを形成し、ストラップを取り付ける連結金具が、前記ケーシングに取り付けられ、前記合成樹脂成形物が、前記ケーシングを介して前記ピエゾ発電素子に振動を伝達したときに前記発光ダイオードが発光する振動発光型電飾ライトを形成している請求項１ないし請求項７いずれかに記載の合成樹脂成形物。
【請求項１１】
前記合成樹脂が、ホットメルト樹脂であり、前記合成樹脂成形物が、前記発光デバイスを金型内に収容しつつ、前記ホットメルト樹脂を前記金型内に注入するホットメルトモールディングによって作られている請求項１ないし請求項１０いずれかに記載の合成樹脂成形物。
【請求項１２】
前記合成樹脂成形物では、前記発光デバイスが前記ホットメルト樹脂に水密に封止されている請求項１１に記載の合成樹脂成形物。
【発明の詳細な説明】
【技術分野】
【０００１】
本発明は、発光デバイスと発光デバイスを包被する合成樹脂とから形成された合成樹脂成形物に関する。
【背景技術】
【０００２】
発光ダイオードと、外部の調光器からの出力を発光ダイオードを点灯させるための電力に変換して出力する点灯回路とを備えた照明装置がある（特許文献１参照）。点灯回路は、調光器からの出力を制御するスイッチ素子と、スイッチ素子によって制御された出力が入力側に入力されると、それを変換して二次側に接続された発光ダイオードに出力するとともに、所定の巻線部からスイッチ素子の作動用出力を発生する出力トランスと、調光器の出力値が設定値よりも低いか否かを検出する検出回路と、検出回路によって調光器の出力値が設定値よりも低いことが検出されると、作動用出力を制御することによってスイッチ素子の作動を制御し、出力トランスの出力を停止または低下させる制御回路とから形成されている。
【０００３】
特許文献１に開示の照明装置は、調光がなされていない場合、安定した状態で発光ダイオードを点灯させることができ、調光によって調光器からの出力電圧が設定値よりも低くなったことを検出部が検出すると、制御回路が巻線部からの作動用出力を制御し、ＩＣの作動を停止させ、発光ダイオードを強制的に消灯させる。したがって、発光ダイオードのちらつきが発生すると想定される値に設定値を設定すれば、ちらつきが発生する前に発光ダイオードを消灯させることができる。
【０００４】
外部に光を放射可能な発光ダイオードと、発光ダイオードを発光させる電池と、発光ダイオードの発光を制御する制御装置とから形成された釣り用疑似餌がある（特許文献２参照）。特許文献２に開示の釣り用疑似餌では、制御装置が発光ダイオードを所定の周期で点滅させ、その光によって魚を引き寄せる。
【先行技術文献】
【特許文献】
【０００５】
【特許文献１】特開２００５−１１７３９号公報
【特許文献２】特開２０００−６０３６１号公報
【発明の概要】
【発明が解決しようとする課題】
【０００６】
前記特許文献１に開示の照明装置は、点灯回路によって発光ダイオードの点灯、消灯をコントロールしているが、照明装置に伝達される振動をトリガーとして発光ダイオードを点灯させることはなく、振動を受けたときに発光ダイオードを点灯させる用途に使用することはできない。また、制御回路にＩＣを使用しているから、発光ダイオードの消灯中であってもＩＣを安定的に動作させるために所定の電圧をＩＣに加えておく必要があり、その分の電気を消費し、装置における省電力化を図ることができない。
【０００７】
前記特許文献２に開示の釣り用疑似餌は、釣り糸の手繰り出しや手繰り込みに応じて発光ダイオードを発光させることができず、水中における疑似餌の動きに合わせて発光ダイオードを発光させることはできない。また、スイッチを入れることで、発光ダイオードの発光が継続されるから、発光が不必要な場合まで発光ダイオードが発光し、その分電気を消費して疑似餌における省電力化を図ることができない。
【０００８】
本発明の目的は、振動をトリガーとして発光デバイスを点灯させることができ、振動を受けたときに発光デバイスを点灯させる用途に使用することができる合成樹脂成形物を提供することにある。本発明の他の目的は、発光デバイスの消灯中に無駄な電力を消費することがなく、省電力化を図ることができる合成樹脂成形物を提供することにある。
【課題を解決するための手段】
【０００９】
前記課題を解決するための本発明の前提は、発光デバイスと、発光デバイスを包被する合成樹脂とから形成された合成樹脂成形物である。
【００１０】
前記前提における本発明の特徴は、合成樹脂が発行デバイスと一体化しつつ所定の形状に成型され、発光デバイスが、直流電源と、直流電源から印加された電圧に応じて発光する発光ダイオードと、発光ダイオードに印加される電圧をＯＮ／ＯＦＦする第１スイッチング素子と、第１スイッチング素子をＯＮさせるための電荷を蓄えるコンデンサーと、コンデンサーに印加される電圧をＯＮ／ＯＦＦする第２スイッチング素子と、振動によって生じた電圧で第２スイッチング素子をＯＮさせるピエゾ発電素子とを含み、発光ダイオードと第１スイッチング素子とが直流電源に対して並列に接続され、コンデンサーと第２スイッチング素子とが直流電源に対して並列に接続されているとともに、ピエゾ発電素子がそれに生じた電圧によって第２スイッチング素子をＯＮ状態にし得るように第２スイッチング素子に接続され、合成樹脂成形物では、ピエゾ発電素子に生じた電圧が第２スイッチング素子に印加されると、第２スイッチング素子がＯＮ状態になり、第２スイッチング素子がＯＮ状態になると、直流電源からコンデンサーに所定の電圧が印加されてコンデンサーに電荷が蓄えられ、コンデンサーがそれに蓄えられた電荷を第１スイッチング素子に放出すると、第１スイッチング素子がＯＮ状態となり、コンデンサーに蓄えられた電荷の放出中に直流電源から発光ダイオードに所定の電圧が印加されて発光ダイオードが発光することにある。
【００１１】
本発明の一例として、合成樹脂成形物では、コンデンサーからの電荷の放出が次第に少なくなり、それによって発光ダイオードの発光が次第に小さくなり、コンデンサーに蓄えられたすべての電荷が放出された後に発光ダイオードの発光が停止する。
【００１２】
本発明の他の一例としては、発光デバイスがピエゾ発電素子に生じた電圧の第２スイッチング素子への印加を可能または不能にする水分検知部材を含み、水分を検知した水分検知部材がピエゾ発電素子に生じた電圧の第２スイッチング素子への印加を可能にするようにピエゾ発電素子に接続され、合成樹脂成形物では、水分検知部材が水分を検知してそれが導通し、ピエゾ発電素子に生じた電圧の第２スイッチング素子への印加が可能となる。
【００１３】
本発明の他の一例としては、発光デバイスが第２スイッチング素子とピエゾ発電素子との導通をＯＮ／ＯＦＦする光検出器を含み、合成樹脂成形物では、光検出器が設定量以上の光を検出中に、第２スイッチング素子と圧電素子との導通がＯＦＦ状態になる。
【００１４】
本発明の他の一例として、発光デバイスでは、静電容量の異なるコンデンサーを使用することによって発光ダイオードの発光時間を変更可能である。
【００１５】
本発明の他の一例として、発光デバイスでは、発電容量の異なるピエゾ発電素子を使用することによって発光ダイオードの発光時間を変更可能である。
【００１６】
本発明の他の一例として、発光デバイスでは、ピエゾ発電素子に強い振動を伝達することによって発光ダイオードの発光時間が長くなり、ピエゾ発電素子に弱い振動を伝達することによって発光ダイオードの発光時間が短くなる。
【００１７】
本発明の他の一例としては、合成樹脂が発光デバイス全体を包被しつつ発光ダイオードから発生した光によって水中で発光する集魚用のケーシングを形成し、釣り糸を結び付ける連結金具がケーシングに取り付けられ、合成樹脂成形物が釣り糸を介してピエゾ発電素子に振動を伝達したときに発光ダイオードが発光してその光で魚類を引き寄せる振動発光型集魚灯を形成している。
【００１８】
本発明の他の一例としては、合成樹脂が発光デバイス全体を包被しつつ発光ダイオードから発生した光によって水中で発光する疑似餌用のケーシングを形成し、釣り糸を結び付ける連結金具がケーシングに取り付けられ、合成樹脂成形物が釣り糸を介してピエゾ発電素子に振動を伝達したときに発光ダイオードが発光してその光で魚類を引き寄せる振動発光型疑似餌を形成している。
【００１９】
本発明の他の一例としては、合成樹脂が発光デバイス全体を包被しつつ発光ダイオードから発生した光を放射可能な電飾用のケーシングを形成し、ストラップを取り付ける連結金具がケーシングに取り付けられ、合成樹脂成形物がケーシングを介してピエゾ発電素子に振動を伝達したときに発光ダイオードが発光する振動発光型電飾ライトを形成している。
【００２０】
本発明の他の一例としては、合成樹脂がホットメルト樹脂であり、合成樹脂成形物が発光デバイスを金型内に収容しつつ、ホットメルト樹脂を金型内に注入するホットメルトモールディングによって作られている。
【００２１】
本発明の他の一例として、合成樹脂成形物では、発光デバイスがホットメルト樹脂に水密に封止されている。
【発明の効果】
【００２２】
本発明に係る合成樹脂成形物によれば、振動がピエゾ発電素子に伝達され、それによってピエゾ発電素子に生じた電圧が第２スイッチング素子に印加されると、第２スイッチング素子がＯＮ状態になり、第２スイッチング素子がＯＮ状態になると、直流電源からコンデンサーに所定の電圧が印加されてコンデンサーに電荷が蓄えられ、コンデンサーがそこに蓄えられた電荷を第１スイッチング素子に放出すると、第１スイッチング素子がＯＮ状態となるから、コンデンサーに蓄えられた電荷の放出中（放電時間内）に直流電源から発光素子に所定の電圧が印加されて発光ダイオードが発光する。したがって、振動をトリガーとして発光デバイスを点灯させることができ、振動を受けたときにのみ発光デバイスを点灯させる用途に使用することができる。合成樹脂成形物は、コンデンサーからの電荷の放出が停止すると、第１スイッチング素子がＯＦＦ状態となり、直流電源から発光ダイオードへの電圧の印加が停止して発光ダイオードが消灯するから、振動が停止した後に発光デバイスの発光が継続することはなく、直流電源における消費電力を少なくすることができる。
【００２３】
コンデンサーからの電荷の放出が次第に少なくなり、それによって発光ダイオードの発光が次第に小さくなり、コンデンサーに蓄えられたすべての電荷が放出された後に発光ダイオードの発光が停止する合成樹脂成形物は、コンデンサーからの電荷の放出が徐々に少なくなるから、発光ダイオードの発光が次第に小さくなり、発光ダイオードがゆっくりと消灯し、発光デバイスの瞬時の消灯を防ぐことができる。合成樹脂成形物は、それにデジタル回路が使用されておらず、デジタル回路を安定的に動作させるために所定の電圧をデジタル回路に加えておく必要はなく、発光デバイスにおける省電力化を図ることができる。
【００２４】
発光デバイスがピエゾ発電素子に生じた電圧の第２スイッチング素子への印加を可能または不能にする水分検知部材を含み、水分を検知した水分検知部材がピエゾ発電素子に生じた電圧の第２スイッチング素子への印加を可能にするようにピエゾ発電素子に接続され、水分検知部材が水分を検知してそれが導通し、ピエゾ発電素子に生じた電圧の第２スイッチング素子への印加が可能となる合成樹脂成形物は、水分検知部材を利用することで、水分の有無によって発光ダイオードを明滅させることができるから、発光ダイオードの発光の必要がない空気中等において発光ダイオードの無駄な発光を防ぐことができ、発光デバイスにおける省電力化を図ることができる。合成樹脂成形物は、発光ダイオードの発光が必要な水中においてピエゾ発電素子に振動が伝達されると、発光ダイオードが発光するから、水中において振動を受けたときであって水中に没したときに発光デバイスを点灯させる用途に使用することができる。
【００２５】
発光デバイスが第２スイッチング素子と圧電素子との導通をＯＮ／ＯＦＦする光検出器を含み、光検出器が設定量以上の光を検出中に、第２スイッチング素子と圧電素子との導通がＯＦＦ状態になる合成樹脂成形物は、光検出器を利用することで、周囲の明暗によって発光ダイオードを明滅させることができるから、発光ダイオードの発光の必要がない明るい雰囲気において発光ダイオードの無駄な発光を防ぐことができ、発光デバイスにおける省電力化を図ることができる。合成樹脂成形物は、発光ダイオードの発光が必要な夜間等の暗い空間においてピエゾ発電素子に振動が伝達されると、発光ダイオードが発光するから、振動を受けたときであって発光が必要なときに発光デバイスを点灯させる用途に使用することができる。
【００２６】
静電容量の異なるコンデンサーを使用することによって発光ダイオードの発光時間を変更可能な合成樹脂成形物は、静電容量の大きいコンデンサーを使用することで、コンデンサーに蓄電される電荷の量が多くなるから、コンデンサーから第１スイッチング素子への電荷の放電時間が長くなり、発光ダイオードへの電圧の印加時間が長くなってその分発光デバイスの発光時間を長くすることができる。逆に、静電容量の小さいコンデンサーを使用することで、コンデンサーに蓄電される電荷の量が少なくなるから、コンデンサーから第１スイッチング素子への電荷の放電時間が短くなり、発光ダイオードへの電圧の印加時間が短くなってその分発光デバイスの発光時間を短くすることができる。合成樹脂成形物は、コンデンサーの静電容量を調節することによって、発光ダイオードの発光時間を自由に変えることができ、発光デバイスの発光時間を合成樹脂成形物の用途に対応させることができる。
【００２７】
発電容量の異なるピエゾ発電素子を使用することによって発光ダイオードの発光時間を変更可能な合成樹脂成形物は、発電容量の大きなピエゾ発電素子を使用することで、第２スイッチング素子のＯＮ状態が長くなり、その分コンデンサーに蓄電される電荷の量が多くなるから、コンデンサーから第１スイッチング素子への電荷の放電時間が長くなり、発光ダイオードへの電圧の印加時間が長くなって発光デバイスの発光時間を長くすることができる。逆に、発電容量の小さなピエゾ発電素子を使用することで、第２スイッチング素子のＯＮ状態が短くなり、その分コンデンサーに蓄電される電荷の量が少なくなるから、コンデンサーから第１スイッチング素子への電荷の放電時間が短くなり、発光ダイオードへの電圧の印加時間が短くなって発光デバイスの発光時間を少なくすることができる。合成樹脂成形物は、発電容量の異なるピエゾ発電素子を使用することによって、発光ダイオードの発光時間を自由に変えることができ、発光デバイスの発光時間を合成樹脂成形物の用途に対応させることができる。
【００２８】
ピエゾ発電素子に強い振動を伝達することによって発光ダイオードの発光時間が長くなり、ピエゾ発電素子に弱い振動を伝達することによって発光ダイオードの発光時間が短くなる合成樹脂成形物は、それを大きく振動させてピエゾ発電素子に強い振動エネルギーを加えることでピエゾ発電素子に高い電圧が生じ、ピエゾ発電素子における電圧の発生時間が長くなるから、第２スイッチング素子のＯＮ状態が長くなり、その分コンデンサーに蓄電される電荷の量が多くなるとともに、コンデンサーから第１スイッチング素子への電荷の放電時間が長くなり、発光ダイオードへの電圧の印加時間が長くなって発光デバイスの発光時間を長くすることができる。逆に、それを小さく振動させてピエゾ発電素子に弱い振動エネルギーを加えることでピエゾ発電素子に低い電圧が生じ、ピエゾ発電素子における電圧の発生時間が短くなるから、第２スイッチング素子のＯＮ状態が短くなり、その分コンデンサーに蓄電される電荷の量が少なくなるとともに、コンデンサーから第１スイッチング素子への電荷の放電時間が短くなり、発光ダイオードへの電圧の印加時間が短くなって発光デバイスの発光時間を短くすることができる。
【００２９】
合成樹脂が発光デバイス全体を包被しつつ発光ダイオードから発生した光によって水中で発光する集魚用のケーシングを形成し、釣り糸を結び付ける連結金具がケーシングに取り付けられ、釣り糸を介してピエゾ発電素子に振動を伝達したときに発光ダイオードが発光してその光で魚類を引き寄せる振動発光型集魚灯を形成している合成樹脂成形物は、集魚灯の振動をトリガーとして発光ダイオードが発光し、釣り糸の手繰り出しや手繰り込みに応じて発光ダイオードを発光させることができ、水中における集魚灯の動きに合わせて発光デバイスを発光させることができる。合成樹脂成形物は、コンデンサーからの電荷の放出が停止すると、第１スイッチング素子がＯＦＦ状態となり、直流電源から発光ダイオードへの電圧の印加が停止して発光ダイオードが消灯するから、集魚灯の動きを停止させることで、発光ダイオードが消灯し、集魚灯を再び動かすことで、発光ダイオードが発光する。したがって、釣り糸の手繰り出しや手繰り込み、静止により、水中において発光ダイオードの点灯と消灯とを調節することができ、魚類の光に引き寄せられる習性の相違に応じて集魚灯の明滅を自由に操作することができる。合成樹脂成形物は、それの動きを停止させると発光ダイオードが消灯するから、魚類を誘うとき以外は発光ダイオードを消灯させておくことができ、その分電気を消費することはなく、集魚灯における省電力化を図ることができる。
【００３０】
合成樹脂が発光デバイス全体を包被しつつ発光ダイオードから発生した光によって水中で発光する疑似餌用のケーシングを形成し、釣り糸を結び付ける連結金具がケーシングに取り付けられ、釣り糸を介してピエゾ発電素子に振動を伝達したときに発光ダイオードが発光してその光で魚類を引き寄せる振動発光型疑似餌を形成している合成樹脂成形物は、疑似餌の振動をトリガーとして発光ダイオードが発光し、釣り糸の手繰り出しや手繰り込みに応じて発光ダイオードを発光させることができ、水中における疑似餌の動きに合わせて発光デバイスを発光させることができる。合成樹脂成形物は、コンデンサーからの電荷の放出が停止すると、第１スイッチング素子がＯＦＦ状態となり、直流電源から発光ダイオードへの電圧の印加が停止して発光ダイオードが消灯するから、疑似餌の動きを停止させることで、発光ダイオードが消灯し、疑似餌を再び動かすことで、発光ダイオードが発光する。したがって、釣り糸の手繰り出しや手繰り込み、静止により、水中において発光ダイオードの点灯と消灯とを調節することができ、魚類の光に引き寄せられる習性の相違に応じて疑似餌の明滅を自由に操作することができる。合成樹脂成形物は、それの動きを停止させると発光ダイオードが消灯するから、魚類を誘うとき以外は発光ダイオードを消灯させておくことができ、その分電気を消費することはなく、疑似餌における省電力化を図ることができる。
【００３１】
合成樹脂が発光デバイス全体を包被しつつ発光ダイオードから発生した光を放射可能な電飾用ケーシングを形成し、ストラップを取り付ける連結金具がケーシングに取り付けられ、ケーシングを介してピエゾ発電素子に振動を伝達したときに発光ダイオードが発光する振動発光型電飾ライトを形成している合成樹脂成形物は、電飾ライトの振動をトリガーとして発光ダイオードを発光させることができ、電飾用のケーシングを種々の形状にすることで、様々な形態の電飾ライトにすることができる。合成樹脂成形物は、コンデンサーからの電荷の放出が停止すると、第１スイッチング素子がＯＦＦ状態となり、直流電源から発光ダイオードへの電圧の印加が停止して発光ダイオードが消灯するから、電飾ライトの動きを停止させることで、発光ダイオードが消灯し、ライトを再び動かすことで、発光ダイオードが発光する。したがって、ライトの動静により、発光ダイオードの点灯と消灯とを調節することができ、ライトの明滅を自由に操作することができる。合成樹脂成形物は、それの動きを停止させると発光ダイオードが消灯するから、必要なとき以外は発光ダイオードを消灯させておくことができ、その分電気を消費することはなく、ライトにおける省電力化を図ることができる。
【００３２】
合成樹脂がホットメルト樹脂であり、発光デバイスを金型内に収容しつつ、ホットメルト樹脂を金型内に注入するホットメルトモールディングによって作られている合成樹脂成形物は、合成樹脂としてホットメルト樹脂を利用することで、金型内に低圧かつ低温で樹脂を注入することができるから、発光デバイスにダメージを与えることなく成形を行うことができる。合成樹脂成形物は、発光デバイス全体がホットメルト樹脂に包被されているから、発光デバイスに対する優れた耐水性や耐油性、耐薬品性を有するとともに、電子デバイスへの防塵や防汚、結露防止を図ることができる。
【００３３】
発光デバイスがホットメルト樹脂に水密に封止されている合成樹脂成形物は、発光デバイスに対する優れた耐水性を有し、合成樹脂成形物が水中に没したとしても、発光デバイスが水の影響を受けることなく、発光ダイオードを明滅させることができ、水中での使用に十分に耐えることができる。合成樹脂成形物は、振動発光型集魚灯や振動発光型疑似餌としての使用に最適である。
【図面の簡単な説明】
【００３４】
【図１】一例として示す振動発光型集魚灯の斜視図。
【図２】集魚灯の使用例を説明する図。
【図３】一例として示す発光デバイスの回路図。
【図４】他の一例として示す発光デバイスの回路図。
【図５】他の一例として示す発光デバイスの回路図。
【図６】一例として示す振動発光型疑似餌の斜視図。
【図７】疑似餌の使用例を説明する図。
【図８】一例として示す振動発光型電飾ライトの斜視図。
【図９】他の一例として示す発光デバイスの回路図。
【発明を実施するための形態】
【００３５】
一例として示す振動発光型集魚灯１０の斜視図である図１等の添付の図面を参照し、本発明に係る合成樹脂成形物の詳細を説明すると、以下のとおりである。なお、図２は、集魚灯１０の使用例を説明する図であり、図３は、一例として示す発光デバイス１２Ａの回路図である。図１では、本発明にかかる合成樹脂成形物が振動発光型集魚灯１０として利用されている。
【００３６】
集魚灯１０は、集魚灯本体１１（集魚用のケーシング）と、集魚灯本体１１に設置された発光デバイス１２Ａとから形成されている。なお、集魚灯１０には、後記する発光デバイス１２Ｂや発光デバイス１２Ｃのいずれかが使用される場合もある。集魚灯本体１１は、略半球状の前端部１３および後端部１５と、それら端部１３，１５の間に位置する略円柱状の中間部１４とを有する。
【００３７】
集魚灯本体１１の前端部１３には、釣り糸１６を結び付ける導電性の連結金具１７（サルカン）が取り付けられ、後端部１５には、釣り糸１６を結び付ける導電性の連結金具１８（サルカン）が取り付けられている。それら連結金具１７，１８は、集魚灯本体１１の前後端部１３，１５に強固に固定されている。連結金具１７，１８は、前後端部１３，１５に埋設されたアンカー部１９と、前後端部１３，１５から露出するフック部２０とから形成されている。
【００３８】
なお、集魚灯本体１１は図示の形状に限定されず、本発明の振動発光型集魚灯１０において他のあらゆる形状を採用することができる。集魚灯本体１１は、透明または半透明のホットメルト樹脂（合成樹脂）から作られている。ホットメルト樹脂としては、ポリアミド系やポリオレフィン系、ウレタン系のそれを使用することができる。集魚灯本体１１は、ホットメルト樹脂の他に、ポリエチレンやポリエチレンテレフタレート、ポリプルピレン等の熱可塑性合成樹脂から作ることもできる。
【００３９】
発光デバイス１２Ａは、集魚灯本体１１内の中間部１４の略中央に埋め込まれ、その全体がホットメルト樹脂（または他の熱可塑性合成樹脂）に包被され、ホットメルト樹脂（または他の熱可塑性合成樹脂）と一体化している。発光デバイス１２Ａは、ホットメルト樹脂に水密に封止されている。発光デバイス１２Ａは、図３に示すように、直列に接続された３つの１．５Ｖボタン電池６０（直流電源）と、発光ダイオード６１と、第１スイッチング素子６２（ＭＯＳ−ＦＥＴ）と、コンデンサー６３と、第２スイッチング素子６４（ＭＯＳ−ＦＥＴ）と、ピエゾ発電素子６５（圧電素子）とから形成されている。発光デバイス１２Ａは、発光ダイオード６１をボタン電池６０によって発光させる直流点灯回路である。
【００４０】
発光ダイオード６１と第１スイッチング素子６２とは、ボタン電池６０に対して並列に接続されている。発光ダイオード６１においてボタン電池６０の直流電流が順方向へ流れるようにそれら発光ダイオード６１が配置されている。なお、ボタン電池６０の個数に特に限定はなく、予定された発光ダイオード６１の発光強度に対応する個数に設定される。また、発光デバイス１２Ａでは、ボタン電池６０に替えて、直流電源としてアルカリ電池等の他のあらゆる一次電池を利用することもできる。
【００４１】
発光ダイオード６１の発光波長や発光輝度、変換効率等について特に限定はなく、紫外光や青色、緑色に発光するＧａＩｎＮ、緑色や黄緑色に発光するＩｎＧａＡＩＰ／ＧａＡｓ、黄色に発光するＩｎＧａＡＩＰ／ＧａＰ、赤色に発光するＩｎＧａＡＩＰやＧａＡＩＡｓ、赤外光に発光するＧａＡＩＡｓやＧａＡｓ等のあらゆるものを使用することができる。
【００４２】
第１スイッチング素子６２には、ＭＯＳ−ＦＥＴが使用されている。第１スイッチング素子６２は、発光ダイオード６１に印加される電圧をＯＮ／ＯＦＦする。第１スイッチング素子６２であるＭＯＳ−ＦＥＴは、そのドレイン電極６２ａが発光ダイオード６１のＮチャネルに電気的に接続され、そのソース電極６２ｂがボタン電池６０のプラス端子に電気的に接続されている。発光ダイオード６１のＮチャネルと第１スイッチング素子６２のドレイン電極６２ａとの間には、抵抗６６が電気的に接続されている。発光ダイオード６１のＰチャネルは、ボタン電池６０のマイナス端子に電気的に接続されている。
【００４３】
コンデンサー６３と第２スイッチング素子６４とは、ボタン電池６０に対して並列に接続されている。コンデンサー６３は、第１スイッチング素子６２をＯＮさせるための電荷を蓄える。コンデンサー６３は、第１端子６３ａが第１スイッチング素子６２であるＭＯＳ−ＦＥＴのゲート電極６２ｃに電気的に接続され、第２端子６３ｂがボタン電池６０のプラス端子に電気的に接続されている。なお、コンデンサー６３の静電容量について特に限定はない。第１スイッチング素子６２のゲート電極６２ｃとコンデンサー６３の第１端子６３ａとの間には、抵抗６７が電気的に接続されている。第１スイッチング素子６２のゲート電極６２ｃには、バイアス抵抗６８が接続されている。
【００４４】
第２スイッチング素子６４には、ＭＯＳ−ＦＥＴが使用されている。第２スイッチング素子６４は、コンデンサー６３に印加される電圧をＯＮ／ＯＦＦする。第２スイッチング素子６４であるＭＯＳ−ＦＥＴは、そのドレイン電極６４ａがボタン電池６０のマイナス端子に電気的に接続され、そのソース電極６４ｂがコンデンサー６３の第１端子６３ａに電気的に接続されている。なお、第１および第２スイッチング素子６２，６４には、ＭＯＳ−ＦＥＴの他に、他の種類のトランジスタを使用することもできる。
【００４５】
ピエゾ発電素子６５は、第２スイッチング素子６４をＯＮさせる。ピエゾ発電素子６５は、その第１端子６５ａが第２スイッチング素子６４であるＭＯＳ−ＦＥＴのゲート電極６４ｃに電気的に接続され、その第２端子６５ｂがボタン電池６０のマイナス端子に電気的に接続されている。なお、ピエゾ発電素子６５の発電容量に特に限定はない。ピエゾ発電素子６５の第１電極６５ａと第２スイッチング素子６４のゲート電極６４ｃとの間には、抵抗６９が電気的に接続されている。第２スイッチング素子６４のゲート電極６４ｃには、バイアス抵抗７０が接続されている。
【００４６】
合成樹脂成形物である集魚灯１０の製造方法の一例を説明すると、以下のとおりである。集魚灯１０は、発光デバイス１２Ａ〜１２Ｃのいずれかを金型内に収容しつつ、ホットメルト樹脂（ホットメルト樹脂以外の熱可塑性合成樹脂を使用する場合はその樹脂）を金型内に注入するホットメルトモールディング（モールディング）によって作られている。
【００４７】
具体的には、集魚灯１０の半分（半身）を成型する金型内に溶融したホットメルト樹脂（または他の熱可塑性合成樹脂）を注入し、その金型によって集魚灯１０の半分を成型する。なお、集魚灯１０の半分には、発光デバイス１２Ａ〜１２Ｃや連結金具１７，１８（サルカン）を収容する収容部が形成されている。次に、集魚灯１０の全体を成型する金型に、先に成型した集魚灯１０の半分を設置するとともに、収容部にいずれかの発光デバイス１２Ａ〜１２Ｃおよび連結金具１７，１８をセットした後、その金型内にホットメルト樹脂（または他の熱可塑性合成樹脂）を注入し、その金型によって集魚灯１０の全体を成型する。ホットメルトモールディングでは、ホットメルト樹脂が発行デバイス１２Ａ〜１２Ｃと一体化しつつ図１の形状に成型される。
【００４８】
図２に基づいてこの振動発光型集魚灯１０の動作を説明すると、以下のとおりである。なお、集魚灯１０は釣り竿（図示せず）の釣り糸１６に取り付けられ、集魚灯１０を使用して釣りができる状態になっているものとする。釣り糸１６は、それら連結金具１７，１８のフック部２０に結び付けられている。ボタン電池６０による電圧は、発光ダイオード６１のＰチャネルと第１スイッチング素子６２のソース電極６２ｂとの間に加えられ、第２スイッチング素子６４のドレイン電極６４ａとコンデンサー６３の第２端子６３ｂとの間に加えられている。ピエゾ発電素子６５に所定の電圧が生じていない状態では、第２スイッチング素子６４のゲート電極６４ｃに電圧がかかっておらず、第２スイッチング素子６４がＯＦＦ状態となっている。また、第１スイッチング素子６２のゲート電極６２ｃに電圧がかかっておらず、第１スイッチング素子６２がＯＦＦ状態となっている。
【００４９】
集魚灯１０を水中に投入し、釣り糸１６の手繰り出しや手繰り込みによって集魚灯１０を水中において上下動させ、集魚灯１０に衝撃（振動）を加えると、その振動がピエゾ発電素子６５に伝達される。振動がピエゾ発電素子６５に伝達されると、その振動によってピエゾ発電素子６５の両端に所定の電圧が生じる。ピエゾ発電素子６５に所定の電圧が生じると、ピエゾ発電素子６５に生じた電圧が第２スイッチング素子６４のゲート電極６４ｃにかかる。
【００５０】
ゲート電極６４ｃに電圧がかかると、第２スイッチング素子６４のドレイン−ソース間にボタン電池６０の電流が流れ、第２スイッチング素子６４がＯＮ状態になる。第２スイッチング素子６４がＯＮ状態になると、ボタン電池６０からコンデンサー６３に所定の電圧が印加され、コンデンサー６３に所定量の電荷が蓄えられる。ピエゾ発電素子６５に生じた電圧が消滅すると、第２スイッチング素子６４のゲート電極６４ｃにかかっていた電圧が０になり、第２スイッチング素子６４のドレイン−ソース間に流れていたボタン電池６０の電流が切れ、第２スイッチング素子６４がＯＦＦ状態になり、ボタン電池６０からのコンデンサー６３に対する電圧の印加が停止する。
【００５１】
その後、コンデンサー６３は、蓄えた電荷を放出（放電）する。コンデンサー６３が電荷を放出すると、その電荷（電圧）が第１スイッチング素子６２のゲート電極６２ｃにかかる。ゲート電極６２ｃに電圧がかかると、第１スイッチング素子６２のドレイン−ソース間にボタン電池６０の電流が流れ、第１スイッチング素子６２がＯＮ状態になる。第１スイッチング素子６２がＯＮ状態になると、ボタン電池６０から発光ダイオード６１に所定の電圧が印加され、発光ダイオード６１にボタン電池６０の直流電流が流れる。
【００５２】
発光ダイオード６１にボタン電池６０の直流電流が流れると、電流（ＩＦ）の大きさに比例した発光強度で発光ダイオード６１が発光する。なお、第１および第２スイッチング素子６２，６４はそのゲート電極６２ｃ，６４ｃに電圧がかかると、直ちにＯＮ状態となるから、ピエゾ発電素子６５に所定の衝撃が加えられることで、発光ダイオード６１が瞬時に発光する。集魚灯１０では、それの振動によって発光ダイオード６１が発光し、その光で魚類を引き寄せる。
【００５３】
コンデンサー６３からの電荷の放出が終了すると、第１スイッチング素子６２のゲート電極６２ｃにかかっていた電圧が０になり、第１スイッチング素子６２のドレイン−ソース間に流れていたボタン電池６０の電流が切れ、第１スイッチング素子６２がＯＦＦ状態になる。第１スイッチング素子６２がＯＦＦ状態になると、発光ダイオード６１の発光が停止する。
【００５４】
なお、コンデンサー６３から放出される電荷は時間の経過とともに次第に少なくなり、それに対応するように、第１スイッチング素子６２のドレイン−ソース間に流れる電流が次第に少なくなるとともに、発光ダイオード６１の発光が次第に弱くなる。したがって、発光ダイオード６１が瞬時に消灯することはなく、発光ダイオード６１の発光が徐々に弱くなる。コンデンサー６３に蓄えられたすべての電荷が放出された後、発光ダイオード６１の発光が停止する。
【００５５】
ボタン電池６０からのコンデンサー６３への電圧の印加時間は、ピエゾ発電素子６５の発電量に比例し、ピエゾ発電素子６５の発電量が多ければ、その分、ボタン電池６０からコンデンサー６３への電圧の印加時間が長くなる。ボタン電池６０からコンデンサー６３への電圧の印加時間が長くなると、コンデンサー６３の静電容量にもよるが、コンデンサー６３に蓄えられる（蓄電）電荷の量が増加する。したがって、釣り糸１６を大きく上下動させて集魚灯１０に大きな衝撃（振動）を加え、その振動をピエゾ発電素子６５に伝達することで、コンデンサー６３に蓄えられる電荷の量を増加させることができ、発光ダイオード６１の発光時間を長くすることができる。
【００５６】
逆に、ピエゾ発電素子６５の発電量が少なければ、その分、ボタン電池６０からコンデンサー６３への電圧の印加時間が短くなる。ボタン電池６０からコンデンサー６３への電圧の印加時間が短くなると、コンデンサー６３に少ない量の電荷が蓄えられる。したがって、釣り糸１６を小さく上下動させて集魚灯１０に小さな衝撃（振動）を加え、その振動をピエゾ発電素子６５に伝達することで、コンデンサー６３に蓄えられる電荷の量を少なくすることができ、発光ダイオード６１の発光時間を短くすることができる。
【００５７】
発光デバイス１２Ａでは、ボタン電池６０からの発光ダイオード６１への電圧の印加時間がコンデンサー６３の静電容量（蓄電量）に比例し、静電容量の大きなコンデンサー６３を使用することで、コンデンサー６３に蓄電される電荷の量を多くすることができ、コンデンサー６３から第１スイッチング素子６２への電荷の放電時間が長くなり、ボタン電池６０から発光ダイオード６１への電圧の印加時間が長くなって、その分、発光ダイオード６１の発光時間を長くすることができる。
【００５８】
逆に、静電容量の小さなコンデンサー６３を使用することで、コンデンサー６３に蓄電される電荷の量を少なくすることができ、コンデンサー６３から第１スイッチング素子６２への電荷の放電時間が短くなり、ボタン電池６０から発光ダイオード６１への電圧の印加時間が短くなって、その分、発光ダイオード６１の発光時間を短くすることができる。
【００５９】
発光デバイス１２Ａでは、発電容量の大きなピエゾ発電素子６５を使用することで、第２スイッチング素子６４のＯＮ時間を長くすることができ、ボタン電池６０からコンデンサー６３への電圧の印加時間が長くなり、コンデンサー６３に蓄えられる（蓄電）電荷の量が増加し、コンデンサー６３から第１スイッチング素子６２への電荷の放電時間が長くなって、その分、発光ダイオード６１の発光時間を長くすることができる。
【００６０】
逆に、発電容量の小さなピエゾ発電素子６５を使用することで、第２スイッチング素子６４のＯＮ時間を短くすることができ、ボタン電池６０からコンデンサー６３への電圧の印加時間が短くなり、コンデンサー６３に蓄えられる（蓄電）電荷の量が減少し、コンデンサー６３から第１スイッチング素子６２への電荷の放電時間が短くなって、その分、発光ダイオード６１の発光時間を短くすることができる。
【００６１】
集魚灯１０は、釣り糸１６の上下動の強弱を調節することにより、発光ダイオード６１の発光時間を調節することができ、水中の状況や引き寄せる魚類等に応じて発光ダイオード６１の発光時間を自由に変えることができる。集魚灯１０は、静電容量の異なるコンデンサー６３を使用（コンデンサー６３の静電容量を変更）することにより、発光ダイオード６１の発光時間を変更することができ、コンデンサー６３の静電容量を調節することで水中の状況や引き寄せる魚類等に応じて発光ダイオード６１の発光時間を自由に設定することができる。さらに、発電容量の異なるピエゾ発電素子６５を使用（ピエゾ発電素子６５の発電容量を変更）することにより、発光ダイオード６１の発光時間を変更することができ、ピエゾ発電素子６５の発電容量を調節することで水中の状況や引き寄せる魚類等に応じて発光ダイオード６１の発光時間を自由に設定することができる。
【００６２】
集魚灯１０は、釣り糸１６を介して振動がピエゾ発電素子６５に伝達され、振動をトリガーとして発光ダイオード６１を点灯させることができ、振動を受けたときにのみ発光ダイオード６１を点灯させることができる。集魚灯１０は、コンデンサー６３からの電荷の放出が停止すると、第１スイッチング素子６２がＯＦＦ状態となり、ボタン電池６０から発光ダイオード６１への電圧の印加が停止して発光ダイオード６１が消灯するから、振動が停止した後に発光ダイオード６１の発光が継続することはなく、ボタン電池６０における消費電力を少なくすることができる。また、コンデンサー６３からの電荷の放出が徐々に少なくなるから、発光ダイオード６１がゆっくりと消灯し、発光デバイス１２Ａ（または発光デバイス１２Ｂ，１２Ｃ）の瞬時の消灯を防ぐことができる。
【００６３】
集魚灯１０は、それにデジタル回路が使用されておらず、デジタル回路を安定的に動作させるために所定の電圧をデジタル回路に加えておく必要はなく、発光デバイス１２Ａ（または発光デバイス１２Ｂ，１２Ｃ）における省電力化を図ることができる。集魚灯１０は、発光デバイス１２Ａ（または発光デバイス１２Ｂ，１２Ｃ）全体がホットメルト樹脂に包被されているから、発光デバイス１２Ａ（または発光デバイス１２Ｂ，１２Ｃ）に対する優れた耐水性や耐油性、耐薬品性を有するとともに、発光デバイス１２Ａ（または発光デバイス１２Ｂ，１２Ｃ）への防塵や防汚、結露防止を図ることができる。
【００６４】
図４は、他の一例として示す発光デバイス１２Ｂの回路図である。この発光デバイス１２Ｂは、直列に接続された３つの１．５Ｖボタン電池６０（直流電源）と、発光ダイオード６１と、第１スイッチング素子６２（ＭＯＳ−ＦＥＴ）と、コンデンサー６３と、第２スイッチング素子６４（ＭＯＳ−ＦＥＴ）と、ピエゾ発電素子６５と、水分検知部材７１ａ，７１ｂとから形成されている。発光デバイス１２Ｂは、図１のそれと同様に、発光ダイオード６１をボタン電池６０によって発光させる直流点灯装置である。
【００６５】
この発光デバイス１２Ｂが図３のそれと異なるところはピエゾ発電素子６５に水分検知部材７１ａ，７１ｂが接続されている点にあり、この発光デバイス１２Ｂにおけるその他の回路構成は図３のそれらと同一であるから、図３と同一の符号を付すとともに、図３の発光デバイス１２Ａの説明を援用することで、この発光デバイス１２Ｂにおけるその他の回路構成の説明は省略する。
【００６６】
水分検知部材７１ａ，７１ｂは、導電性端子であり、ピエゾ発電素子６５に生じた電圧の第２スイッチング素子６４への印加を可能または不能にする。水分検知部材７１ａ，７１ｂは、それが水分を検知したときに、ピエゾ発電素子６５に生じた電圧の第２スイッチング素子６４への印加を可能にするようにピエゾ発電素子６５に接続されている。
【００６７】
水分検知部材７１ａ，７１ｂは、一方の端子７１ａが集魚灯１０の一方の連結金具１７（サルカン）に電気的につながり、他方の端子７１ｂが集魚灯１０の他方の連結金具１８（サルカン）に電気的につながっている。したがって、水分検知部材７１ａ，７１ｂは、集魚灯１０の前端部１３における連結金具１７のフック部２０と後端部１５における連結金具１８のフック部２０との２点において集魚灯本体１１から露出している（図１参照）。
【００６８】
図２を援用しつつ図４に示す発光デバイス１２Ｂを使用した振動発光型集魚灯１０の動作を説明すると、以下のとおりである。ピエゾ発電素子６５に所定の電圧が生じていない状態では、図３の発光デバイス１２Ａと同様に、第２スイッチング素子６４のゲート電極６４ｃに電圧がかかっておらず、第２スイッチング素子６４がＯＦＦ状態となっている。また、第１スイッチング素子６２のゲート電極６２ｃに電圧がかかっておらず、第１スイッチング素子６２がＯＦＦ状態となっている。なお、集魚灯１０が水に漬かっていない場合、水分検知部材７１ａ，７１ｂが導通せず、ピエゾ発電素子６５に生じた電圧の第２スイッチング素子６４への印加が不能になっている。
【００６９】
集魚灯１０を水中に投入し、集魚灯１０が水に漬かると、水分検知部材７１ａ，７１ｂ（連結金具１７，１８）が水分を検知して導通可能（連結金具１７，１８どうしが水分によって導通可能）になり、ピエゾ発電素子６５に生じた電圧の第２スイッチング素子６４への印加が可能になる。釣り糸１６の手繰り出しや手繰り込みによって集魚灯１０を水中において上下動させ、集魚灯１０に衝撃（振動）を加えてその振動がピエゾ発電素子６５に伝達されると、その振動によってピエゾ発電素子６５の両端に所定の電圧が生じる。ピエゾ発電素子６５に所定の電圧が生じると、ピエゾ発電素子６５に生じた電圧が第２スイッチング素子６４のゲート電極６４ｃにかかる。
【００７０】
ゲート電極６４ｃに電圧がかかると、第２スイッチング素子６４のドレイン−ソース間にボタン電池６０の電流が流れ、第２スイッチング素子６４がＯＮ状態になる。第２スイッチング素子６４がＯＮ状態になると、ボタン電池６０からコンデンサー６３に所定の電圧が印加され、コンデンサー６３に所定量の電荷が蓄えられる。ピエゾ発電素子６５に生じた電圧が消滅すると、第２スイッチング素子６４のゲート電極６４ｃにかかっていた電圧が０になり、第２スイッチング素子６４のドレイン−ソース間に流れていたボタン電池６０の電流が切れ、第２スイッチング素子６４がＯＦＦ状態になり、ボタン電池６０からのコンデンサー６３に対する電圧の印加が停止する。
【００７１】
コンデンサー６３は、蓄えた電荷を放出する。コンデンサー６３が電荷を放出すると、その電荷が第１スイッチング素子６２のゲート電極６２ｃにかかる。ゲート電極６２ｃに電圧がかかると、第１スイッチング素子６２のドレイン−ソース間にボタン電池６０の電流が流れ、第１スイッチング素子６２がＯＮ状態になる。第１スイッチング素子６２がＯＮ状態になると、ボタン電池６０から発光ダイオード６１に所定の電圧が印加され、発光ダイオード６１にボタン電池６０の直流電流が流れる。発光ダイオード６１にボタン電池６０の直流電流が流れると、発光ダイオード６１が発光する。集魚灯１０では、それの振動によって発光ダイオード６１が発光し、その光で魚類を引き寄せる。
【００７２】
コンデンサー６３からの電荷の放出が終了すると、第１スイッチング素子６２のゲート電極６２ｃにかかっていた電圧が０になり、第１スイッチング素子６２のドレイン−ソース間に流れていたボタン電池６０の電流が切れ、第１スイッチング素子６２がＯＦＦ状態になる。第１スイッチング素子６２がＯＦＦ状態になると、発光ダイオード６１の発光が停止する。なお、集魚灯１０を水中から水上に上げると、水分検知部材７１ａ，７１ｂ（連結金具１７，１８）が導通不能（連結金具１７，１８どうしの導通が不能）になり、ピエゾ発電素子６５に生じた電圧の第２スイッチング素子６４への印加が不能になる。したがって、水中以外において集魚灯１０に振動を加えたとしても、発光ダイオード６１が発光することはない。
【００７３】
発光デバイス１２Ｂを利用した集魚灯１０においても、釣り糸１６の上下動の強弱を調節することにより、発光ダイオード６１の発光時間を調節することができ、水中の状況や引き寄せる魚類等に応じて発光ダイオード６１の発光時間を自由に変えることができる。また、静電容量の異なるコンデンサー６３を使用することにより、発光ダイオード６１の発光時間を変更することができ、コンデンサー６３の静電容量を調節することで水中の状況や引き寄せる魚類等に応じて発光ダイオード６１の発光時間を自由に設定することができる。さらに、発電容量の異なるピエゾ発電素子６５を使用することにより、発光ダイオード６１の発光時間を変更することができ、ピエゾ発電素子６５の発電容量を調節することで水中の状況や引き寄せる魚類等に応じて発光ダイオード６１の発光時間を自由に設定することができる。
【００７４】
発光デバイス１２Ｂを利用した集魚灯１０は、図１のそれが有する効果に加え、以下の効果を有する。集魚灯１０は、水分検知部材７１ａ，７１ｂを利用することで、それが水中にあるときのみ発光ダイオード６１が発光し、水分の有無によって発光ダイオード６１を明滅させることができるから、発光ダイオード６１の発光の必要がない水上（空気中）等において発光ダイオード６１の無駄な発光を防ぐことができ、発光デバイス１２Ｂ（集魚灯１０）における省電力化を図ることができる。
【００７５】
図５は、他の一例として示す発光デバイス１２Ｃの回路図である。この発光デバイス１２Ｃは、直列に接続された３つの１．５Ｖボタン電池６０（直流電源）と、発光ダイオード６１と、第１スイッチング素子６２（ＭＯＳ−ＦＥＴ）と、コンデンサー６３と、第２スイッチング素子６４（ＭＯＳ−ＦＥＴ）と、ピエゾ発電素子６５（圧電素子）と、水分検知部材７１ａ，１７ｂと、フォトダイオード７２（光検出器）とから形成されている。発光デバイス１２Ｃは、図１のそれと同様に、発光ダイオード６１をボタン電池６０によって発光させる直流点灯装置である。
【００７６】
この発光デバイス１２Ｃが図３のそれと異なるところはピエゾ発電素子６５に水分検知部材７１ａ，７１ｂが接続されている点、第２スイッチング素子６４のゲート電極６４ｃにフォトダイオード７２が接続されている点にあり、この発光デバイス１２Ｃにおけるその他の回路構成は図３のそれらと同一であるから、図３と同一の符号を付すとともに、図３の発光デバイス１２Ａの説明を援用することで、この発光デバイス１２Ｃにおけるその他の回路構成の説明は省略する。
【００７７】
水分検知部材７１ａ，７１ｂは、導電性端子であり、ピエゾ発電素子６５に生じた電圧の第２スイッチング素子６４への印加を可能または不能にする。水分検知部材７１ａ，７１ｂは、それが水分を検知したときに、ピエゾ発電素子６５に生じた電圧の第２スイッチング素子６４への印加を可能にするようにピエゾ発電素子６５に接続されている。水分検知部材７１ａ，７１ｂは、一方の端子７１ａが集魚灯１０の一方の連結金具１７（サルカン）に電気的につながり、他方の端子７１ｂが集魚灯１０の他方の連結金具１８（サルカン）に電気的につながっている。
【００７８】
フォトダイオード７２は、そのＰチャネルが第２スイッチング素子６４のゲート電極６４ｃに電気的に接続され、そのＮチャネルがボタン電池６０のプラス端子に電気的に接続されている。フォトダイオード７２には、抵抗７０が並列に接続されている。フォトダイオード７２は、異なる感度のそれを使用することで、受光した光の強度の大小に応じて作動するから、感度を選択することで、薄暗い場所で発光ダイオード６１を発光させることができ、または、薄暗い場所で発光ダイオード６１を発光させないこともできる。なお、光検出器には、フォトダイオード７２の他に、フォトトランジスタを使用することもできる。
【００７９】
図２を援用しつつ図５に示す発光デバイス１２Ｃを使用した振動発光型集魚灯１０の動作を説明すると、以下のとおりである。ピエゾ発電素子６５に所定の電圧が生じていない状態では、図３の発光デバイス１２Ａと同様に、第２スイッチング素子６４のゲート電極６４ｃに電圧がかかっておらず、第２スイッチング素子６４がＯＦＦ状態となっている。また、第１スイッチング素子６２のゲート電極６２ｃに電圧がかかっておらず、第１スイッチング素子６２がＯＦＦ状態となっている。なお、集魚灯１０が水に漬かっていない場合、水分検知部材７１ａ，７１ｂ（連結金具１７，１８）が導通せず、ピエゾ発電素子６５に生じた電圧の第２スイッチング素子６４への印加が不能になっている。さらに、フォトダイオード７２に所定強度の光が入光している場合、フォトダイオード７２が導通状態となる。逆に、フォトダイオード７２に光が入光していない場合、フォトダイオード７２が非導通状態となる。
【００８０】
集魚灯１０を水中に投入し、集魚灯１０が水に漬かると、水分検知部材７１ａ，７１ｂ（連結金具１７，１８）が水分を検知して導通可能（連結金具１７，１８どうしが水分によって導通可能）になり、ピエゾ発電素子６５に生じた電圧の第２スイッチング素子６４への印加が可能になる。さらに、水中においてフォトダイオード７２に光が入光していない場合、フォトダイオード７２が非導通状態となり、フォトダイオード７２に電流が流れることはない。
【００８１】
釣り糸１６の手繰り出しや手繰り込みによって集魚灯１０を水中において上下動させ、集魚灯１０に衝撃（振動）を加えてその振動がピエゾ発電素子６５に伝達されると、その振動によってピエゾ発電素子６５の両端に所定の電圧が生じる。ピエゾ発電素子６５に所定の電圧が生じると、ピエゾ発電素子６５に生じた電圧が第２スイッチング素子６４のゲート電極６４ｃにかかる。ゲート電極６４ｃに電圧がかかると、第２スイッチング素子６４のドレイン−ソース間にボタン電池６０の電流が流れ、第２スイッチング素子６４がＯＮ状態になる。なお、フォトダイオード７２に光が入光している場合、フォトダイオード７２が導通状態となり、フォトダイオード７２に電流が流れ、ピエゾ発電素子６５に生じた電圧が第２スイッチング素子６４のゲート電極６４ｃにかからず、第２スイッチング素子６４がＯＦＦの状態とままなる。
【００８２】
フォトダイオード７２に電流が流れず、第２スイッチング素子６４がＯＮ状態になると、ボタン電池６０からコンデンサー６３に所定の電圧が印加され、コンデンサー６３に所定量の電荷が蓄えられる。ピエゾ発電素子６５に生じた電圧が消滅すると、第２スイッチング素子６４のゲート電極６４ｃにかかっていた電圧が０になり、第２スイッチング素子６４のドレイン−ソース間に流れていたボタン電池６０の電流が切れ、第２スイッチング素子６４がＯＦＦ状態になり、ボタン電池６０からのコンデンサー６３に対する電圧の印加が停止する。
【００８３】
コンデンサー６３は、蓄えた電荷を放出する。コンデンサー６３が電荷を放出すると、その電荷が第１スイッチング素子６２のゲート電極６２ｃにかかる。ゲート電極６２ｃに電圧がかかると、第１スイッチング素子６２のドレイン−ソース間にボタン電池６０の電流が流れ、第１スイッチング素子６２がＯＮ状態になる。第１スイッチング素子６２がＯＮ状態になると、ボタン電池６０から発光ダイオード６１に所定の電圧が印加され、発光ダイオード６１にボタン電池６０の直流電流が流れる。発光ダイオード６１にボタン電池６０の直流電流が流れると、発光ダイオード６１が発光する。集魚灯１０では、それの振動によって発光ダイオード６１が発光し、その光で魚類を引き寄せる。
【００８４】
コンデンサー６３からの電荷の放出が終了すると、第１スイッチング素子６２のゲート電極６２ｃにかかっていた電圧が０になり、第１スイッチング素子６２のドレイン−ソース間に流れていたボタン電池６０の電流が切れ、第１スイッチング素子６２がＯＦＦ状態になる。第１スイッチング素子６２がＯＦＦ状態になると、発光ダイオード６１の発光が停止する。なお、集魚灯１０を水中から水上に上げると、水分検知部材７１ａ，７１ｂ（連結金具１７，１８）が導通不能（連結金具１７，１８どうしの導通が不能）になり、ピエゾ発電素子６５に生じた電圧の第２スイッチング素子６４への印加が不能になる。したがって、水中以外において集魚灯１０に振動を加えたとしても、発光ダイオード６１が発光することはない。さらに、フォトダイオード７２に光が入光し、フォトダイオード７２に電流が流れ、ピエゾ発電素子６５に生じた電圧が第２スイッチング素子６４のゲート電極６４ｃにかからず、第２スイッチング素子６４がＯＦＦの状態になる。
【００８５】
発光デバイス１２Ｃを利用した集魚灯１０においても、釣り糸１６の上下動の強弱を調節することにより、発光ダイオード６１の発光時間を調節することができ、水中の状況や引き寄せる魚類等に応じて発光ダイオード６１の発光時間を自由に変えることができる。また、静電容量の異なるコンデンサー６３を使用することにより、発光ダイオード６１の発光時間を変更することができ、コンデンサー６３の静電容量を調節することで水中の状況や引き寄せる魚類等に応じて発光ダイオード６１の発光時間を自由に設定することができる。さらに、発電容量の異なるピエゾ発電素子６５を使用することにより、発光ダイオード６１の発光時間を変更することができ、ピエゾ発電素子６５の発電容量を調節することで水中の状況や引き寄せる魚類等に応じて発光ダイオード６１の発光時間を自由に設定することができる。
【００８６】
発光デバイス１２Ｃを利用した集魚灯１０は、図１のそれが有する効果に加え、以下の効果を有する。集魚灯１０は、水分検知部材７１ａ，７１ｂを利用することで、それが水中にあるときのみ発光ダイオード６１が発光し、水分の有無によって発光ダイオード６１を明滅させることができるから、発光ダイオード６１の発光の必要がない水上（空気中）等において発光ダイオード６１の無駄な発光を防ぐことができ、発光デバイス１２Ｂ（集魚灯１０）における省電力化を図ることができる。集魚灯１０は、フォトダイオード７２（光検出器）を利用することで、周囲の明暗によって発光ダイオード６１を明滅させることができるから、発光ダイオード６１の発光の必要がない明るい雰囲気の水上において発光ダイオード６１の無駄な発光を防ぐことができ、発光デバイス１２Ｂにおける省電力化を図ることができる。
【００８７】
図６は、一例として示す振動発光型疑似餌２１の斜視図であり、図７は、疑似餌２１の使用例を説明する図である。図６では、本発明にかかる合成樹脂成形物が振動発光型疑似餌２１として利用されている。疑似餌２１は、疑似餌本体２２（疑似餌用のケーシング）と、疑似餌本体２２に設置された発光デバイス１２Ｂとから形成されている。疑似餌本体２２は、小魚の姿を模倣して透明または半透明のホットメルト樹脂（合成樹脂）から作られている。疑似餌本体２２は、その前端部２３に釣り糸１６を結び付ける連結金具２６（サルカン）が取り付けられ、その中間部２３と後端部２４とに釣り針２７が取り付けられている。疑似餌本体２２は、集魚灯本体１１と同様に、ホットメルト樹脂の他に、ポリエチレンやポリエチレンテレフタレート、ポリプルピレン等の熱可塑性合成樹脂から作ることもできる。
【００８８】
連結金具２６は、疑似餌本体２２の前端部２３に強固に固定されている。連結金具２６は、前端部２３に埋設されたアンカー部（図示せず）と、前端部２３から露出するフック部２８とから形成されている。釣り針２７は、導電性の連結金具２９，３０を介して疑似餌本体２２の中間部２４と後端部２５とに取り付けられている。連結金具２９，３０は、中間部２４および後端部２５に強固に固定されている。連結金具２９，３０は、中間部２４および後端部２５に埋設されたアンカー部（図示せず）と、中間部２４および後端部２５から露出するフック部３１とから形成されている。
【００８９】
連結金具２９には、発光デバイス１２Ｂの水分検知部材７１ａが電気的に接続され、連結金具３０には、水分検知部材７１ｂが電気的に接続されている。なお、疑似餌本体２２は図示の小魚の形状に限定されず、本発明の疑似餌２１において他のあらゆる形状を採用することができる。また、釣り針２７の形態やその取り付け位置は図示のそれらに限定されず、他の形態の釣り針を使用することもでき、釣り針２７の取り付け位置を疑似餌本体２２の他の箇所にすることもできる。発光デバイス１２Ｂは、疑似餌本体２２の内部の略中央に埋め込まれ、その全体がホットメルト樹脂（または他の熱可塑性合成樹脂）に包被され、ホットメルト樹脂（または他の熱可塑性合成樹脂）と一体化している。発光デバイス１２Ｂは、ホットメルト樹脂に水密に封止されている。
【００９０】
合成樹脂成形物である疑似餌２１の製造方法の一例を説明すると、以下のとおりである。疑似餌２１は、発光デバイス１２Ｂを金型内に収容しつつ、ホットメルト樹脂（または他の熱可塑性合成樹脂）を金型内に注入するホットメルトモールディング（モールディング）によって作られている。なお、この疑似餌２１では、図４の発光デバイス１２Ｂが使用されているが、図３や図５の発光デバイス１２Ａ，１２Ｃのうちのいずれかを使用することもできる。
【００９１】
具体的には、疑似餌２１の半分（半身）を成型する金型内に溶融したホットメルト樹脂（または他の熱可塑性合成樹脂）を注入し、その金型によって疑似餌２１の半分を成型する。なお、疑似餌２１の半分には、発光デバイス１２Ｂや連結金具２６，２９，３０（サルカン）を収容する収容部が形成されている。次に、疑似餌２１の全体を成型する金型に、先に成型した疑似餌２１の半分を設置するとともに、収容部に発光デバイス１２Ｂおよび連結金具２６，２９，３０をセットした後、その金型内にホットメルト樹脂（または他の熱可塑性合成樹脂）を注入し、その金型によって疑似餌２１の全体を成型する。ホットメルトモールディングでは、ホットメルト樹脂が発行デバイス１２Ｂと一体化しつつ図６の形状に成型される。
【００９２】
図７に基づいてこの振動発光型疑似餌２１の動作を説明すると、以下のとおりである。なお、疑似餌２１は釣り竿の釣り糸１６に取り付けられ、疑似餌２１を使用して釣りができる状態になっているものとする。釣り糸１６は、連結金具２６のフック部２８に結び付けられている。疑似餌２１を水中に投入し、疑似餌２１が水に漬かると、水分検知部材７１ａ，７１ｂ（連結金具２９，３０）が水分を検知して導通可能（連結金具２９，３０どうしが水分によって導通可能）になり、ピエゾ発電素子６５に生じた電圧の第２スイッチング素子６４への印加が可能になる。
【００９３】
釣り糸１６の手繰り出しや手繰り込みによって疑似餌２１を水中において上下動させ、疑似餌２１に衝撃（振動）を加えてその振動がピエゾ発電素子６５に伝達されると、その振動によってピエゾ発電素子６５の両端に所定の電圧が生じる。ピエゾ発電素子６５に所定の電圧が生じると、ピエゾ発電素子６５に生じた電圧が第２スイッチング素子６４のゲート電極６４ｃにかかる。なお、この疑似餌２１における発光ダイオード１２Ｂの発光や発光の停止は、図４において説明したそれらと同一であるから、図４の説明を援用することで、それらの説明は省略する。疑似餌２１では、それの振動によって発光ダイオード６１が発光し、その光で魚類を引き寄せる。
【００９４】
疑似餌２１を水中から水上に上げると、水分検知部材７１ａ，７１ｂ（連結金具２９，３０）が導通不能（連結金具２９，３０どうしの導通が不能）になり、ピエゾ発電素子６５に生じた電圧の第２スイッチング素子６４への印加が不能になる。したがって、水中以外において疑似餌２１に振動を加えたとしても、発光ダイオード６１が発光することはない。
【００９５】
発光デバイス１２Ｂを利用した疑似餌２１においても、釣り糸１６の上下動の強弱を調節することにより、発光ダイオード６１の発光時間を調節することができ、水中の状況や引き寄せる魚類等に応じて発光ダイオード６１の発光時間を自由に変えることができる。また、静電容量の異なるコンデンサー６３を使用することにより、発光ダイオード６１の発光時間を変更することができ、コンデンサー６３の静電容量を調節することで水中の状況や引き寄せる魚類等に応じて発光ダイオード６１の発光時間を自由に設定することができる。さらに、発電容量の異なるピエゾ発電素子６５を使用することにより、発光ダイオード６１の発光時間を変更することができ、ピエゾ発電素子６５の発電容量を調節することで水中の状況や引き寄せる魚類等に応じて発光ダイオード６１の発光時間を自由に設定することができる。
【００９６】
発光デバイス１２Ｂを利用した疑似餌２１は、図１の集魚灯１０が有する効果に加え、以下の効果を有する。疑似餌２１は、水分検知部材７１ａ，７１ｂを利用することで、それが水中にあるときのみ発光ダイオード６１が発光し、水分の有無によって発光ダイオード６１を明滅させることができるから、発光ダイオード６１の発光の必要がない水上（空気中）等において発光ダイオード６１の無駄な発光を防ぐことができ、発光デバイス１２Ｂ（または発光デバイス１２Ａ，１２Ｃ）における省電力化を図ることができる。
【００９７】
図８は、一例として示す振動発光型電飾ライト３２の斜視図であり、図９は、他の一例として示す発光デバイス１２Ｄの回路図である。図８では、本発明にかかる合成樹脂成形物が振動発光型電飾ライト３２として利用されている。電飾ライト３２は、ライト本体３３と、ライト本体３３に設置された発光デバイス１２Ｄとから形成されている。ライト本体３３は、透明または半透明のホットメルト樹脂（合成樹脂）から作られ、球状に成形されている。
【００９８】
ライト本体３３は、その一端部にストラップ３４を繋ぐ連結金具３５が取り付けられている。なお、図示のライト本体３３はその形状が球状であるが、本体３３の形状を球状に限定するものではなく、発光デバイス１２Ｄを収容可能であれば、本体３３を他のあらゆる形状にすることができる。ライト本体３３は、ホットメルト樹脂の他に、ポリエチレンやポリエチレンテレフタレート、ポリプルピレン等の熱可塑性合成樹脂から作ることもできる。
【００９９】
連結金具３５は、ライト本体３３の一端部に強固に固定されている。連結金具３５は、一端部に埋設されたアンカー部（図示せず）と、一端部から露出するフック部３６とから形成されている。発光デバイス１２Ｄは、ライト本体３３の内部の略中央に埋め込まれ、その全体がホットメルト樹脂（または他の熱可塑性合成樹脂）に包被され、ホットメルト樹脂（または他の熱可塑性合成樹脂）と一体化している。発光デバイス１２Ｄは、ホットメルト樹脂に水密に封止されている。
【０１００】
発光デバイス１２Ｄは、直列に接続された３つの１．５Ｖボタン電池６０（直流電源）と、発光ダイオード６１と、第１スイッチング素子６２（ＭＯＳ−ＦＥＴ）と、コンデンサー６３と、第２スイッチング素子６４（ＭＯＳ−ＦＥＴ）と、ピエゾ発電素子６５（圧電素子）と、フォトダイオード７２（光検出器）とから形成されている。発光デバイス１２Ｄは、図１のそれと同様に、発光ダイオード６１をボタン電池６０によって発光させる直流点灯装置である。
【０１０１】
この発光デバイス１２Ｄが図３のそれと異なるところは第２スイッチング素子６４のゲート電極６４ｃにフォトダイオード７２が接続されている点にあり、この発光デバイス１２Ｄにおけるその他の回路構成は図３のそれらと同一であるから、図３と同一の符号を付すとともに、図３の発光デバイス１２Ａの説明を援用することで、この発光デバイス１２Ｄにおけるその他の回路構成の説明は省略する。フォトダイオード７２は、そのＰチャネルが第２スイッチング素子６４のゲート電極６４ｃに電気的に接続され、そのＮチャネルがボタン電池６０のプラス端子に電気的に接続されている。フォトダイオード７２には、抵抗７０が並列に接続されている。
【０１０２】
合成樹脂成形物である電飾ライト３２の製造方法の一例を説明すると、以下のとおりである。電飾ライト３２は、発光デバイス１２Ｄを金型内に収容しつつ、ホットメルト樹脂（または他の熱可塑性合成樹脂）を金型内に注入するホットメルトモールディング（モールディング）によって作られている。なお、電飾ライト３２では、図９の発光デバイス１２Ｄが使用されているが、図３の発光デバイス１２Ａを使用することもできる。
【０１０３】
具体的には、電飾ライト本体３３の半分（半身）を成型する金型内に溶融したホットメルト樹脂（または他の熱可塑性合成樹脂）を注入し、その金型によって電飾ライト本体３３の半分を成型する。なお、電飾ライト本体３３の半分には、発光デバイス１２Ｄや連結金具３５を収容する収容部が形成されている。次に、電飾ライト３２の全体を成型する金型に、先に成型した電飾ライト本体３３の半分を設置するとともに、収容部に発光デバイス１２Ｄおよび連結金具３５をセットした後、その金型内にホットメルト樹脂（または他の熱可塑性合成樹脂）を注入し、その金型によって電飾ライト３２の全体を成型する。ホットメルトモールディングでは、ホットメルト樹脂が発行デバイス１２Ｄと一体化しつつ図８の形状に成型される。
【０１０４】
発光デバイス１２Ｄを使用した振動発光型電飾ライト３２の動作を説明すると、以下のとおりである。ピエゾ発電素子６５に所定の電圧が生じていない状態では、図３の発光デバイス１２Ａと同様に、第２スイッチング素子６４のゲート電極６４ｃに電圧がかかっておらず、第２スイッチング素子６４がＯＦＦ状態となっている。また、第１スイッチング素子６２のゲート電極６２ｃに電圧がかかっておらず、第１スイッチング素子６２がＯＦＦ状態となっている。なお、フォトダイオード７２に所定強度の光が入光している場合、フォトダイオード７２が導通状態となる。逆に、フォトダイオード７２に光が入光していない場合、フォトダイオード７２が非導通状態となる。
【０１０５】
ライト本体３３またはストラップ３４を指で持ち、電飾ライト３２を上下左右等の四方へ揺り動かす。電飾ライト３２を揺り動かすと、その振動がピエゾ発電素子６５に伝わり、ピエゾ発電素子６５の両端に所定の電圧が生じ、第２スイッチング素子６４がＯＮ状態になって、ボタン電池６０からコンデンサー６３に電荷が蓄えられる。さらに、コンデンサー６３が電荷を放出すると、第１スイッチング素子６２がＯＮ状態になって、発光ダイオード６１にボタン電池６０の直流電流が流れ、発光ダイオード６１が発光する。発光ダイオード６１が発光すると、その光がライト本体３３を透過して外部に照射される。なお、フォトダイオード７２に光が入光している場合（ライト３２が明るい雰囲気にある場合）、フォトダイオード７２が導通状態となり、フォトダイオード７２に電流が流れ、ピエゾ発電素子６５に生じた電圧が第２スイッチング素子６４のゲート電極６４ｃにかからず、第２スイッチング素子６４がＯＦＦの状態とままなり、発光ダイオード６１が発光しない。
【０１０６】
指の動きを止め、電飾ライト３２を静止させると、ピエゾ発電素子６５の発電が停止し、第２スイッチング素子６４がＯＦＦ状態になって、ボタン電池６０からのコンデンサー６３に対する電圧の印加が停止する。さらに、コンデンサー６３からの電荷の放出が終了すると、第１スイッチング素子６２がＯＦＦ状態になって、発光ダイオード６１の発光が次第に弱くなり、指の動きを止めてから所定の時間が経過した後、発光ダイオード６１が消灯する。この電飾ライト３２の発光時間を長くするには、ライト３２を継続して揺り動かすか、または、ライト３２を激しく振動させる。ライト３２を激しく振動させると、ピエゾ発電素子６５の発電量が多くなるとともに、コンデンサー６３に蓄えられる（蓄電）電荷の量が増加し、ライト３２が長く発光する。
【０１０７】
発光デバイス１２Ｄを利用した電飾ライト３２においても、ライト３２の振動の強弱を調節することにより、発光ダイオード６１の発光時間を調節することができ、発光ダイオード６１の発光時間を自由に変えることができる。また、静電容量の異なるコンデンサー６３を使用することにより、発光ダイオード６１の発光時間を変更することができ、コンデンサー６３の静電容量を調節することで発光ダイオード６１の発光時間を自由に設定することができる。さらに、発電容量の異なるピエゾ発電素子６５を使用することにより、発光ダイオード６１の発光時間を変更することができ、ピエゾ発電素子６５の発電容量を調節することで発光ダイオード６１の発光時間を自由に設定することができる。
【０１０８】
振動発光型電飾ライト３２は、それの振動をトリガーとして発光ダイオード６１を発光させることができ、ライト本体３３（電飾用のケーシング）を種々の形状にすることで、様々な形態の電飾ライト３２にすることができる。電飾ライト３２は、コンデンサー６３からの電荷の放出が停止すると、第１スイッチング素子６２がＯＦＦ状態となり、直流電源から発光ダイオード６１への電圧の印加が停止して発光ダイオード６１が消灯するから、電飾ライト３２の動きを停止させることで、発光ダイオード６１が消灯し、ライト３２を再び動かすことで、発光ダイオード６１が発光する。したがって、ライト３２の動静により、発光ダイオード６１の点灯と消灯とを調節することができ、ライト３２の明滅を自由に操作することができる。
【０１０９】
電飾ライト３２は、それの動きを停止させると発光ダイオード６１が消灯するから、必要なとき以外は発光ダイオード６１を消灯させておくことができ、その分電気を消費することはなく、発光デバイス１２Ｄ（または発光デバイス１２Ａ）における省電力化を図ることができる。電飾ライト３２は、発光デバイス１２Ｄ（または発光デバイス１２Ａ）全体がホットメルト樹脂に包被されているから、発光デバイス１２Ｄ（または発光デバイス１２Ａ）に対する優れた耐水性や耐油性、耐薬品性を有するとともに、発光デバイス１２Ｄ（または発光デバイス１２Ａ）への防塵や防汚、結露防止を図ることができる。
【符号の説明】
【０１１０】
１０    振動発光型集魚灯（合成樹脂成形物）
１１    集魚灯本体（集魚用のケーシング）
１２Ａ〜１２Ｄ  発光デバイス
１６    釣り糸
１７    連結金具
１８    連結金具
２１    振動発光型疑似餌（合成樹脂成形物）
２２    疑似餌本体（疑似餌用のケーシング）
２９    連結金具
３０    連結金具
３２    振動発光型電飾ライト（合成樹脂成形物）
３３    電飾ライト本体（電飾用のケーシング）
３４    ストラップ
３５    連結金具
６０    ボタン電池（直流電源）
６１    発光ダイオード
６２    第１スイッチング素子
６３    コンデンサー
６４    第２スイッチング素子
６５    ピエゾ発電素子
７１ａ，７１ｂ  水分検知部材
７２    フォトダイオード（光検出器）
【図１】
2013021931.tif 000003
【図２】
2013021931.tif 000004
【図３】
2013021931.tif 000005
【図４】
2013021931.tif 000006
【図５】
2013021931.tif 000007
【図６】
2013021931.tif 000008
【図７】
2013021931.tif 000009
【図８】
2013021931.tif 000010
【図９】
2013021931.tif 000011